(57)【特許請求の範囲】
【請求項１】
板材（１２）と弾性材（１４）を有する中間構造部（１０）を備えた防犯用パネル（１，１Ａ）であって、
前記中間構造部（１０）は、前記弾性材（１４）が前記板材（１２）に並列するように配設されると共に、該弾性材（１４）と該板材（１２）の間に空間部（１３）が設けられたものであり、
前記弾性材（１４）は、前記板材（１２）とは異なる材質から成り、かつ糸状、紐状又はテープ状のものを全体として略シート状としたもの、又は板状の形状としたものである１又は複数の弾性部材（１４ａ）により構成され、
前記空間部（１３）は、前記弾性材（１４）の弾性部材（１４ａ）の移動又は伸長を可能とする隙間であり、
前記弾性部材（１４ａ）に切断工具（８０）の回転刃（８１）が当たった際に、該弾性部材（１４ａ）の逃げを防ぐ押さえ板材（１５）が、備えられ、
前記防犯用パネル（１，１Ａ）が切断工具（８０）の回転刃（８１）で切断されると、前記板材（１２）が切断され、該板材（１２）に切断溝（１２ｃ）が形成され、
該切断溝（１２ｃ）から弾性材（１４）の弾性部材（１４ａ）が、前記回転刃（８１）で切断されたとき、又は前記空間部（１３）において弾性部材（１４ａ）が前記回転刃（８１）に引っ掛かって伸長されたときに、これらの弾性部材（１４ａ）の一部（１４ｃ，１４ｄ，１４ｅ）が前記板材（１２）側へ移動し、
これらの弾性部材（１４ａ）の一部（１４ｃ，１４ｄ，１４ｅ）が、前記切断溝（１２ｃ）に引き込まれることにより、該回転刃（８１）の動きを止めることができるように構成された、ことを特徴とする防犯用パネル。
【請求項２】
前記弾性材（１４）の中央部が弛んだ状態になるように、該弾性材（１４）の上端若しくは両端、又は周縁部が前記板材（１５）に固定された、ことを特徴とする請求項１に記載の防犯用パネル。
【請求項３】
板材（１２）と弾性材（１４）を有する中間構造部（１０）を備えた防犯用パネル（１，１Ａ）を用いたボックス体（２０）であって、
前記中間構造部（１０）は、前記弾性材（１４）が前記板材（１２）に並列するように配設されると共に、該弾性材（１４）と該板材（１２）の間に空間部（１３）が設けられたものであり、
前記弾性材（１４）は、前記板材（１２）とは異なる材質から成り、かつ糸状、紐状又はテープ状のものを全体として略シート状としたもの、又は板状の形状としたものである１又は複数の弾性部材（１４ａ）により構成され、
前記空間部（１３）は、前記弾性材（１４）の弾性部材（１４ａ）の移動又は伸長を可能とする隙間であり、
前記弾性部材（１４ａ）に切断工具（８０）の回転刃（８１）が当たった際に、該弾性部材（１４ａ）の逃げを防ぐ押さえ板材（１５）が、備えられ、
前記防犯用パネル（１，１Ａ）が切断工具（８０）の回転刃（８１）で切断されると、前記板材（１２）が切断され、該板材（１２）に切断溝（１２ｃ）が形成され、
該切断溝（１２ｃ）から弾性材（１４）の弾性部材（１４ａ）が、前記回転刃（８１）で切断されたとき、又は前記空間部（１３）において弾性部材（１４ａ）が前記回転刃（８１）に引っ掛かって伸長されたときに、これらの弾性部材（１４ａ）の一部（１４ｃ，１４ｄ，１４ｅ）が前記板材（１２）側へ移動し、
これらの弾性部材（１４ａ）の一部（１４ｃ，１４ｄ，１４ｅ）が、前記切断溝（１２ｃ）に引き込まれることにより、該回転刃（８１）の動きを止めることができるように構成された、ことを特徴とする防犯用パネルを用いたボックス体。
【請求項４】
板材（１２）と弾性材（１４）を有する中間構造部（１０）を備えた防犯用パネル（１，１Ａ）を用いた車両ボディ（６０）であって、
前記中間構造部（１０）は、前記弾性材（１４）が前記板材（１２）に並列するように配設されると共に、該弾性材（１４）と該板材（１２）の間に空間部（１３）が設けられたものであり、
前記弾性材（１４）は、前記板材（１２）とは異なる材質から成り、かつ糸状、紐状又はテープ状のものを全体として略シート状としたもの、又は板状の形状としたものである１又は複数の弾性部材（１４ａ）により構成され、
前記空間部（１３）は、前記弾性材（１４）の弾性部材（１４ａ）の移動又は伸長を可能とする隙間であり、
前記弾性部材（１４ａ）に切断工具（８０）の回転刃（８１）が当たった際に、該弾性部材（１４ａ）の逃げを防ぐ押さえ板材（１５）が、備えられ、
前記防犯用パネル（１，１Ａ）が切断工具（８０）の回転刃（８１）で切断されると、前記板材（１２）が切断され、該板材（１２）に切断溝（１２ｃ）が形成され、
該切断溝（１２ｃ）から弾性材（１４）の弾性部材（１４ａ）が、前記回転刃（８１）で切断されたとき、又は前記空間部（１３）において弾性部材（１４ａ）が前記回転刃（８１）に引っ掛かって伸長されたときに、これらの弾性部材（１４ａ）の一部（１４ｃ，１４ｄ，１４ｅ）が前記板材（１２）側へ移動し、
これらの弾性部材（１４ａ）の一部（１４ｃ，１４ｄ，１４ｅ）が、前記切断溝（１２ｃ）に引き込まれることにより、該回転刃（８１）の動きを止めることができるように構成された、ことを特徴とする防犯用パネルを用いた車両ボディ。
【発明の詳細な説明】
【技術分野】
【０００１】
本発明は、盗難などの犯罪被害を防ぐことができる防犯用パネル、これを用いたボックス体及び車両ボディに関する。
【背景技術】
【０００２】
従来、建設現場や工事現場においては、電線等の資材、発電機等の機材、ヘルメットや安全帯等の作業用具、作業に必要な書類、作業員の貴重品等を一時的に保管するために、ボックス体などの保管庫、コンテナボックスなどの倉庫やコンテナハウスなどが設置される。また、このような保管庫は、イベント会場において音響機材等の機器やイベント関係者の貴重品等を保管するために利用されたり、災害現場において救援物資等を保管する倉庫として利用される場合もある。
【０００３】
保管庫は、単に器具や貴重品等を収納するだけでなく、これらの盗難防止を目的として利用される。金属板、樹脂板、木板などの壁材や屋根材は、小型エンジンなどを動力として、円盤状の切断刃（ディスク）を高速回転させるグローバルソーや、環状の切断刃を駆動させたりするチェーンソーなどの切断工具を用いれば容易に切断可能であった。そのため、壁などに侵入口を作る切断行為や、その侵入口から侵入して保管物を盗む窃盗行為などの犯罪を防ぐことができなかった。
【０００４】
窃盗しようとする者は、人目の付かない側壁面部や裏壁面部などに侵入口を作って侵入する場合が多い。図８は、窃盗しようとする者が侵入口Ｅを作る手順の一例を示す概要図である。窃盗しようとする者は、図８に示すように、壁Ｗに連続する切れ目Ｃを数本入れて（図８（ａ））、それを捲り上げ、又は、打ち抜き、人が通れる大きさの侵入口Ｅ（穴）を作る（図８（ｂ））。この侵入口Ｅを作る際には切断音が発生するので、時間が掛かると周囲に気づかれるおそれがある。そのため、壁Ｗの切断に手間取るような構成として、窃盗しようとする者に侵入を断念させることができることが多かった。
【０００５】
このような犯罪を阻止するための防犯用のパネルに関する技術として、例えば、特許文献１の特開２００９−５７７３５号公報「防犯用中空パネル」が提案されている。この「防犯用中空パネル」は、パネル表面層とパネル裏面層との間に、パネル長さ方向に貫通する多数の中空部が形成された合成樹脂製の中空パネルであって、侵入防止用条材が人の侵入を阻止するに足る相互間隔をあけて中空部の幾つか又は全てに挿通され、各条材の両端が中空パネルの長さ方向両端の端板に固定された構成の防犯用中空パネルである。合成樹脂製のパネル表面層などが刃物やバーナーにより破壊されても、中空部に挿通された金属、カーボン繊維、強化繊維等からなる剛性を備えた侵入防止用条材により構成される格子体を備えることによって、人の侵入を阻止し、窃盗その他の犯罪を防止するものである。
【先行技術文献】
【特許文献】
【０００６】
【特許文献１】特開２００９−５７７３５号公報
【発明の概要】
【発明が解決しようとする課題】
【０００７】
しかし、このような構成の「防犯用中空パネル」の場合、刃物やバーナーによる破壊は困難であるものの、グローバルソーやチェーンソーなどの回転する切断刃（回転刃）を有する切断工具を用いれば、合成樹脂製のパネル表面層及び格子体を一体的に切断して侵入口を形成することが可能である。侵入者による窃盗等の犯罪を防止することができないという問題があった。
【０００８】
本発明は、かかる問題点を解決するために創案されたものである。すなわち、本発明の目的は、切断工具によりパネルを切断する際に、その回転刃の動きを止めて、犯罪の発生を防止又は抑止することができる防犯用パネル、これを用いたボックス体及び車両ボディを提供する。
【課題を解決するための手段】
【０００９】
本発明の防犯用パネルは、板材（１２）と弾性材（１４）を有する中間構造部（１０）を備えた防犯用パネル（１，１Ａ）であって、
前記中間構造部（１０）は、前記弾性材（１４）が前記板材（１２）に並列するように配設されると共に、該弾性材（１４）と該板材（１２）の間に空間部（１３）が設けられたものであり、
前記弾性材（１４）は、前記板材（１２）とは異なる材質から成り、かつ糸状、紐状又はテープ状のものを全体として略シート状としたもの、又は板状の形状としたものである１又は複数の弾性部材（１４ａ）により構成され、
前記空間部（１３）は、前記弾性材（１４）の弾性部材（１４ａ）の移動又は伸長を可能とする隙間であり、
前記弾性部材（１４ａ）に切断工具（８０）の回転刃（８１）が当たった際に、該弾性部材（１４ａ）の逃げを防ぐ押さえ板材（１５）が、備えられ、
前記防犯用パネル（１，１Ａ）が切断工具（８０）の回転刃（８１）で切断されると、前記板材（１２）が切断され、該板材（１２）に切断溝（１２ｃ）が形成され、
該切断溝（１２ｃ）から弾性材（１４）の弾性部材（１４ａ）が、前記回転刃（８１）で切断されたとき、又は前記空間部（１３）において弾性部材（１４ａ）が前記回転刃（８１）に引っ掛かって伸長されたときに、これらの弾性部材（１４ａ）の一部（１４ｃ，１４ｄ，１４ｅ）が前記板材（１２）側へ移動し、
これらの弾性部材（１４ａ）の一部（１４ｃ，１４ｄ，１４ｅ）が、前記切断溝（１２ｃ）に引き込まれることにより、該回転刃（８１）の動きを止めることができるように構成された、ことを特徴とする。
【００１０】
前記弾性材（１４）の中央部が弛んだ状態になるように、該弾性材（１４）の上端若しくは両端、又は周縁部が前記板材（１５）に固定されたものである。
【００１１】
本発明のボックス体は、板材（１２）と弾性材（１４）を有する中間構造部（１０）を備えた防犯用パネル（１，１Ａ）を用いたボックス体（２０）であって、
前記中間構造部（１０）は、前記弾性材（１４）が前記板材（１２）に並列するように配設されると共に、該弾性材（１４）と該板材（１２）の間に空間部（１３）が設けられたものであり、
前記弾性材（１４）は、前記板材（１２）とは異なる材質から成り、かつ糸状、紐状又はテープ状のものを全体として略シート状としたもの、又は板状の形状としたものである１又は複数の弾性部材（１４ａ）により構成され、
前記空間部（１３）は、前記弾性材（１４）の弾性部材（１４ａ）の移動又は伸長を可能とする隙間であり、
前記弾性部材（１４ａ）に切断工具（８０）の回転刃（８１）が当たった際に、該弾性部材（１４ａ）の逃げを防ぐ押さえ板材（１５）が、備えられ、
前記防犯用パネル（１，１Ａ）が切断工具（８０）の回転刃（８１）で切断されると、前記板材（１２）が切断され、該板材（１２）に切断溝（１２ｃ）が形成され、
該切断溝（１２ｃ）から弾性材（１４）の弾性部材（１４ａ）が、前記回転刃（８１）で切断されたとき、又は前記空間部（１３）において弾性部材（１４ａ）が前記回転刃（８１）に引っ掛かって伸長されたときに、これらの弾性部材（１４ａ）の一部（１４ｃ，１４ｄ，１４ｅ）が前記板材（１２）側へ移動し、
これらの弾性部材（１４ａ）の一部（１４ｃ，１４ｄ，１４ｅ）が、前記切断溝（１２ｃ）に引き込まれることにより、該回転刃（８１）の動きを止めることができるように構成された、ことを特徴とする。
【００１２】
本発明の車両ボディは、板材（１２）と弾性材（１４）を有する中間構造部（１０）を備えた防犯用パネル（１，１Ａ）を用いた車両ボディ（６０）であって、
前記中間構造部（１０）は、前記弾性材（１４）が前記板材（１２）に並列するように配設されると共に、該弾性材（１４）と該板材（１２）の間に空間部（１３）が設けられたものであり、
前記弾性材（１４）は、前記板材（１２）とは異なる材質から成り、かつ糸状、紐状又はテープ状のものを全体として略シート状としたもの、又は板状の形状としたものである１又は複数の弾性部材（１４ａ）により構成され、
前記空間部（１３）は、前記弾性材（１４）の弾性部材（１４ａ）の移動又は伸長を可能とする隙間であり、
前記弾性部材（１４ａ）に切断工具（８０）の回転刃（８１）が当たった際に、該弾性部材（１４ａ）の逃げを防ぐ押さえ板材（１５）が、備えられ、
前記防犯用パネル（１，１Ａ）が切断工具（８０）の回転刃（８１）で切断されると、前記板材（１２）が切断され、該板材（１２）に切断溝（１２ｃ）が形成され、
該切断溝（１２ｃ）から弾性材（１４）の弾性部材（１４ａ）が、前記回転刃（８１）で切断されたとき、又は前記空間部（１３）において弾性部材（１４ａ）が前記回転刃（８１）に引っ掛かって伸長されたときに、これらの弾性部材（１４ａ）の一部（１４ｃ，１４ｄ，１４ｅ）が前記板材（１２）側へ移動し、
これらの弾性部材（１４ａ）の一部（１４ｃ，１４ｄ，１４ｅ）が、前記切断溝（１２ｃ）に引き込まれることにより、該回転刃（８１）の動きを止めることができるように構成された、ことを特徴とする。
【発明の効果】
【００１３】
本発明の防犯パネル（１，１Ａ）によれば、切断工具（８０）により切断する際に、板材（１２）の切断溝（１２ｃ）に、板材（１２）とは異なる材質から成る弾性材（１４）を構成する弾性部材（１４ａ）の一部が引き込まれ、この切断溝（１２ｃ）が目詰まりしたり、弾性部材（１４ａ）が引っ掛かったりすることにより、その回転刃（８１）の回転を阻害又は阻止して、切断工具（８０）で侵入口（Ｅ）を作らせないことにより、盗難などの犯罪を防ぐことができる。
押さえ板材（１５）を設けることにより、回転刃（８１）が当たった際に、弾性部材（１４ａ）の逃げを防ぐことができる。
また、弾性材（１４）を構成する弾性部材（１４ａ）を複数の穴を開けたシート状の部材や、紐状の部材又はその組み合わせとすれば、弾性部材（１４ａ）の一部が切断溝（１２ｃ）に引き込まれやすくなる。
【００１４】
本発明の防犯パネル（１，１Ａ）を用いたボックス体（２０）によれば、切断工具（８０）を使用した内部の保管物の盗難を防ぐことができる。
また、本発明の防犯パネル（１，１Ａ）を用いた車両ボディ（６０）によれば、切断工具（８０）を使用した内部の積載物の盗難を防ぐことができる。
【図面の簡単な説明】
【００１５】
【図１】実施例１の防犯用パネルの概要を示す斜視図である。
【図２】実施例１の防犯用パネルの中間構造部の概要を示す一部拡大断面図である。
【図３】実施例１の防犯用パネルの弾性材の変形例を示し、（ａ）は変形例１の概略図、（ｂ）は変形例２の概略図である。
【図４】実施例１の防犯用パネルの中間構造部の作用効果について説明する概略説明図であって、（ａ）は切断工具で切断を開始した様子を示す縦断面図、（ｂ）は切断工具の回転刃が弾性材に到達した際の様子を示す縦断面図、（ｃ）は切断工具の回転刃が弾性材に到達した際の様子を示す横断面図である。
【図５】実施例１の変形例である防犯用パネルの構成とその中間構造部の作用効果を説明する説明図であり、（ａ）は切断工具の回転刃が板材に到達した際の様子を示す縦断面図、（ｂ）は切断工具の回転刃が板材に到達した際の様子を示す横断面図である。
【図６】実施例２の防犯パネルを使用したボックス体の例示であり、（ａ）は事務所などとして使用されるコンテナハウスの斜視図、（ｂ）は倉庫などとして使用されるコンテナボックスの斜視図である。
【図７】実施例３の防犯パネルを車両ボディに使用した貨物車両を例示するものであり、車両ボディを有する貨物車両の斜視図である。
【図８】窃盗しようとする者が侵入口を作る手順の一例を示す概要図である。
【発明を実施するための形態】
【００１６】
本発明は、切断工具によりパネルを切断する際に、切断工具の回転刃の動きを止めて犯罪の発生を防ぐ防犯用パネル、これを用いたボックス体及び車両ボディである。
【実施例１】
【００１７】
＜防犯用パネルの構成＞
以下、本発明の実施の形態を、図面を参照して説明する。
図１は、実施例１の防犯用パネル１の概要を示す斜視図である。図２は、実施例１の防犯用パネル１の中間構造部１０の概要を示す一部拡大断面図である。
防犯用パネル１は、図１及び図２に示すように、外壁となる外装材１１と、内壁となる内装材１６と、外装材１１と内装材１６の間に設けられる中間構造部１０とから構成されている。また、本実施例の中間構造部１０は、外装材１１側から内方に向かって、板材１２、弾性材１４、押さえ板材１５の順に配設され、板材１２と弾性材１４の間には空間部１３が設けられている。
【００１８】
図１においては、便宜上、外装材１１及び内装材１６を中間構造部１０と離した状態で図示しているが、実際には、外装材１１又は／及び内装材１６に接した状態又は略接した状態で、並列するように配設される。中間構造部１０を構成する板材１２を、外装材１１としての役割を兼ねたものとして、防犯用パネル１が外装材１１を備えていない構成にすることも可能である。
【００１９】
外装材１１は、例えば、金属製、樹脂製又は木製の板状部材やこれらの複合体などからなり、外気温の変化、日光や雨水等に対する耐性を有する外壁面を備えたものであれば、その素材や構成は限定されない。本実施例においては、外装材１１としてアルミニウム製の板状部材や繊維強化プラスチック（ＦＲＰ：Ｆｉｂｅｒ  Ｒｅｉｎｆｏｒｃｅｄ  Ｐｌａｓｔｉｃ）製の板状部材などの軽量な部材が使用されている。なお、この実施の形態にあっては外装材１１としてその外壁面が平面状のものを適用したがこれに限らず、例えば、いわゆる波状となっていてもよい。なお、本実施例においては、外装材１１の内面側には、中間構造部１０を貼設するための粘着シート１９が貼り付けられている。
【００２０】
外装材１１の内側に設けられる中間構造部１０は、板材１２と弾性材１４とを有している。そして、中間構造部１０は、切断工具による切断行為が行われた際にその回転刃の回転（動き）を遅くしたり止めたりすることができるように構成されており、侵入口Ｅ（図８参照）の完成を妨害（遅延又は阻止）して、窃盗その他の犯罪被害を防ぐものである。具体的には、中間構造部１０は、回転刃による切断で形成された板材１２の切断溝１２ｃ内に、弾性材１４の一部が回転刃の動きに伴うようにして引き込まれるように構成されており、回転刃を挟み込むようにして、複合的に発生する力（摩擦力又は／及び弾性力）によりその動きを止めることができる（図４，５参照）。
【００２１】
＜中間構造部の構成＞
ここで、中間構造部１０の構成について詳細に説明する。
中間構造部１０を構成する板材１２は略板状の部材である。本実施例においては、熱可塑性発泡プラスチックである発泡ウレタンを使用している。板材１２は、これに限らず、略板状の部材であればよく、例えば、合成樹脂、木材、金属、セメント、ガラス又はこれらの複合物等の材料を使用してもよい。本実施例の発泡ウレタンは内部に細かい気泡を有するものである。また、熱可塑性であり、回転刃の回転により発生する摩擦熱で切断面の粘度が高くなる場合もある。さらに、本実施例のように発泡部材である板材１２を所定の厚さとすることにより、断熱機能（保温機能）を持たせることができる。
【００２２】
中間構造部１０を構成する空間部１３は、板材１２と弾性材１４の間に設けられた隙間である。すなわち、弾性材１４は、板材１２との間に略一定の間隔を空けた状態で対向するように（並列するように）設けられる。この空間部１３は、弾性材１４の外装材１１側への移動や伸長を可能とする役割を果たしている。また、空間部１３を設けることにより、外装材１１側から内装材１６側への熱伝導率を小さくすることができ、外気温や直射日光などによる影響を少なくすることができる。
【００２３】
中間構造部１０を構成する弾性材１４は、弾性を有する摩擦係数の高い素材が好ましく、例えばエラストマーなどからなる。弾性材１４は、糸状、紐状、テープ状、シート状又は板状の形状を有する部材群の中から選択された１種類以上の弾性部材１４ａを、１部材以上使用して構成されるものである。つまり、弾性材１４は、選択された１種類の弾性部材１４ａの、１部材又は複数部材により構成されてもよいし、選択された２種類以上の弾性部材１４ａにより構成されてもよい。
【００２４】
本実施例では、弾性部材１４ａとして、熱硬化性の部材（ゴム素材や熱硬化性エラストマーなど）、例えば、伸縮性があり丈夫で摩擦係数の高い合成ゴム製の、１枚の網状の矩形シート部材を使用している。そして、その内面（内装材１６側の面）は、押さえ板材１５の外面（外装材１１側の面、以下、押さえ面１５ｂという）に接するように、又は、緩く張るように配設されている。
【００２５】
＜弾性材の変形例１、変形例２＞
図３は、弾性材１４の変形例を示し、（ａ）は変形例１の概略図、（ｂ）は変形例２の概略図である。
変形例１では格子状の弾性材１４を示し、変形例２では複数の穴を空けたシート状の弾性材１４を示している。なお、弾性材１４はこのような構成に限らず、選択された１種類以上の弾性部材１４ａを、縞状、格子状、多孔状、網状、放射状又はこれらの組み合わせとなるように一体的に構成したシート状の部材であってもよいし、選択された１種類以上の弾性部材１４ａそれぞれを、縞状、格子状、網状、放射状又はこれらの組み合わせとなるように配設して、全体として略シート状としたものであってもよい。また、弾性材１４は、このような略シート状のものを複数、重ねて設けてもよい。ここで、縞状とは、縦方向や横方向に限らず斜め方向のものも含み、その間隔が必ずしも一定でなくてもよい。また、網状とは、網目の形状は問わず、ハニカム状など同じ形状の網目が形成されているものだけでなく、網目の形状が不規則なものも含み、編み方も問わない。格子状についても、同様である。
【００２６】
中間構造部１０の押さえ板材１５は板状の部材であり、回転刃が弾性材１４に到達した際に、弾性材１４を構成する弾性部材１４ａが内方（内装材１６側）へ逃げてしまうのを防ぐために内側からこれを押さえる役割を担う。本実施例においては、押さえ板材１５として木製のベニヤ板又は合板が使用されているが、弾性部材１４ａを内押さえできるものであればよく、その素材、形状、構成などは限定されない。また、弾性部材１４ａを押さえる部分（押さえ部）も上述のような平面（押さえ面１５ｂ）に限らず、逃げを防ぐことができるものであればよく、その素材、形状、構成などは限定されない。
【００２７】
また、本実施例においては、弾性材１４はシート形状の弾性部材１４ａであり、押さえ面１５ｂ側を覆うように押さえ板材１５に張られて保持されている。具体的には、弾性部材１４ａの周縁部のみが、押さえ板材１５の周縁部に取付部材１８で固定されており、弾性部材１４ａの周縁部以外（中央部分）は、押さえ板材１５に拘束されていない。また、周縁部ではなく上縁部（上端部）のみが固定され、その下側部分が簾のように垂れ下がり、板材１２側に揺動可能に押さえ板材１５に支持されてもよい。このように、弾性部材１４ａの周縁部以外（中央部分）は板材１２側に伸長又は／及び移動可能に押さえ板材１５に支持されている。
【００２８】
本実施例のように、上述した種々の形状の弾性部材１４ａを縦方向（鉛直方向）に配設する場合には、少なくとも、その上端部、又は、その上端部及び下端部が保持されていればよい。つまり、弾性部材１４ａの下側が垂れ下がるように、又は、中央部分が移動可能な状態（伸長可能な状態、例えば、緩んだ状態や弛んだ状態でもよい）で保持されていればよい。また、上述した種々の形状の弾性部材１４ａを横方向(水平方向) や斜め方向に配設する場合には、その両端部のみを掛け渡すように固定して、その中央部分が固定されない移動可能な状態（伸長可能な状態、例えば、緩んだ状態や弛んだ状態でもよい）で保持される。
【００２９】
また、本実施例においては、弾性材１４を押さえ板材１５に保持させる配設方法を取ったが、これに限らず、弾性材１４に回転刃が到達した際に、弾性材１４ａが板材１２側に揺動又は移動可能となるように、伸長自在に何らかの部材（例えば、防犯用パネル１を配設するときに使用する取付部材や枠部材などの保持部材）に支持されるように配設されていればよい。さらに、本実施例においては、弾性材１４を押さえ板材１５に接するように配設したが、押さえ板材１５と弾性材１４との間に隙間を設けてもよい。
【００３０】
中間構造部１０の内装材１６は、防犯用パネル１が使用される対象に基づいて必要に応じて適宜設けられるものであり、その素材、形状、構成などは限定されない。例えば、使用対象が事務所等として使用されるコンテナハウス等であれば、快適な空間を作るためにＦＲＰ又は合板などからなる板状部材を使用することもできるし、資材などを収納する倉庫（コンテナボックスなど）であれば、荷当たり保護のための合成繊維又は天然繊維からなるネットや金網などを使用してもよい。内装材１６を設けることにより、使用目的に合わせた防犯用パネル１とすることができるだけでなく、より切断行為の進行を遅らせることができ犯罪防止効果を高めることができる。
【００３１】
中間構造部１０の各層１２〜１５の層厚は、それらの素材の性質や形状などに基づいて設定される。例えば、本実施例においては、板材１２の層厚が１０〜４０ｍｍ、空間部１３の層厚が５〜３０ｍｍ、弾性材１４の層厚が２〜１０ｍｍ、押さえ板材１５の層厚が３〜１５ｍｍとなっている。なお、層厚を薄くすることによって、防犯用パネル１の総重量を軽くすることができ、材料に掛かるコストも抑えることができる。
【００３２】
＜中間構造部１０の作用効果＞
次に、防犯用パネル１の中間構造部１０の作用効果について説明する。
中間構造部１０は、防犯用パネル１を切断工具により切断しようとした際に、その回転刃の回転を阻害又は阻止して、切断行為の進行を遅延させたり、その行為自体を阻止する役割を担う。ここで、切断工具は、小型エンジンなどを動力するものに限定されず、回転刃又はそれに類するものを動かすことにより物を切断する工具をさす。また、回転とは、その軌跡が円である場合だけでなく、楕円や略楕円である場合なども含む。
【００３３】
本実施例のような中間構造部１０を備えた防犯用パネル１によれば、窃盗しようとする者が、人が通れる大きさの侵入口Ｅを作ろうとしても、切断開始箇所から十数ｃｍから数十ｃｍ動かしたところで回転刃の回転が阻害又は阻止されてしまう。そして、なおも動かし続けようとすると、切断工具自体が壊れてしまう場合もある。結果、侵入口Ｅの完成を遅延させて侵入を断念させたり、切断工具が作動しないことにより侵入可能な侵入口Ｅを開けることを防ぐことができる。以下、図面を参照して中間構造部１０の作用効果について説明する。
【００３４】
図４は、中間構造部１０の作用効果について説明する概略説明図であって、（ａ）は切断工具８０で切断を開始した様子を示す縦断面図、（ｂ）は切断工具８０の回転刃８１が弾性材１４に到達した際の様子を示す縦断面図、（ｃ）は切断工具８０の回転刃８１が弾性材１４に到達した際の様子を示す横断面図である。
上述したように、弾性材１４の外方には空間部１３が設けられており、弾性部材１４ａは、この空間部１３により板材１２側に移動又は／及び揺動可能となっている。なお、図４においては切断工具８０の一例として、チェーンソー８０ａを使用した場合について表している。また、弾性材１４は、便宜上、一部の弾性部材１４ａについて適宜示すものであり、内装材１６は図示を省略している。
【００３５】
切断工具８０（８０ａ）で切断する際には、回転刃８１（８１ａ）は、まず防犯パネル１０の外装材１１を貫通し、図４（ａ）に示すように板材１２の厚さ方向に略溝状の切断溝１２ｃ（貫通していない切込溝）を形成していく。そして、回転刃８１（８１ａ）が板材１２を貫通すると、その内側にある弾性部材１４ａ（弾性材１４ａ）まで到達する。
【００３６】
弾性部材１４ａ（弾性材１４）は、空間部１３により板材１２側へ移動や伸長可能に配設されている。また、押さえ板材１５により、内方への逃げが妨げられているので、切断溝１２ｃ（貫通溝）から突出する回転刃８１（８１ａ）により、弾性部材１４ａの一部は切断溝１２ｃ内に引き込まれていく。具体的には、図４（ｂ）及び図４（ｃ）に示すように、弾性部材１４ａに回転刃８１が到達すると、回転刃８１に引っ掛かり伸長した弾性部材１４ａの一部分（伸長部）１４ｃや、切断された弾性部材１４ａの端部（切断端部）１４ｄや、切り屑などの切断片１４ｅが、回転刃８１（８１ａ）の回転に伴い、板材１２の切断溝１２ｃ内に引き込まれていく（以下、引き込まれた部分等を適宜、引込部分等１４ｃ〜１４ｅという）。なお、図４（ｃ）においては、切断端部１４ｄを省略している。
【００３７】
そして、この引込部分等１４ｃ〜１４ｅが、切断溝１２ｃ内で回転刃８１（８１ａ）に引っ掛かって絡みついたり、回転刃８１（８１ａ）に押し当てられてこれを挟み込んだりすることにより、回転刃８１（８１ａ）の回転を阻害又は阻止する。つまり、弾性部材１４ａの弾性力や摩擦力が、板材１２内で回転刃８１（８１ａ）に効果的に作用するように構成されている。また、回転刃８１（８１ａ）による切断面には、細かな凹凸ができるだけでなく、上述したように板材１２は発泡部材であるので、引込部分等１４ｃ〜１４ｅを切断溝１２ｃ内に留まらせる効果を有する。なお、発泡部材に限らず、板材１２自体を摩擦係数の大きい部材としたり、板材１２と弾性材１４（弾性部材１４ａ）とを異なる素材とすることなどにより、引込部分等１４ｃ〜１４ｅを切断溝１２ｃ内に留まらせやすくすることができるだけでなく、回転刃８１（８１ａ）に対して弾性力や摩擦力を効果的に作用させることができる。
【００３８】
さらに、上述したように、板材１２は熱可塑性の部材であるので、回転刃８１（８１ａ）の回転により発生する摩擦熱で、切断溝１２ｃの内壁部分１２ｄが軟化して粘度が上がり摩擦係数が高くなる場合がある。板材１２の軟化した部分が回転刃８１（８１ａ）の周囲に付着して切断工具８０（８０ａ）本体側に移動して、その動作自体を止めることもある。このように、中間構造部１０によれば、板材１２の部材と、弾性材１４（弾性部材１４ａ）の部材（引込部分等１４ｃ〜１４ｅ）とが係り合うことにより複合的に生じる力により、回転刃８１（８１ａ）の回転を阻害等することができる。
【００３９】
＜防犯用パネルの変形例＞
次に、防犯用パネル１の変形例について説明する。
図５は、変形例である防犯用パネル１Ａの構成とその中間構造部１０の作用効果を説明する説明図であり、（ａ）は切断工具８０の回転刃８１が板材１２に到達した際の様子を示す縦断面図、（ｂ）は切断工具８０の回転刃８１が板材１２に到達した際の様子を示す横断面図である。なお、上述した防犯用パネル１と同様の構成については、同様の符号で示す等して重複する説明を省略する。
防犯パネル１Ａは、外装材１１側から内方に向かって、弾性材１４、板材１２、内装材１６の順に配設される。つまり、防犯用パネル１と異なり、弾性材１４の方が板材１２よりも外装材１１側（外方）に設けられ、押さえ板材１５を必要としない構成となっている。なお、弾性材１４と板材１２の間には空間部１３が設けられているのは防犯用パネル１と同じである。図５においては、切断工具８０としてグローバルソー８０ｂを使用した場合を示している。
【００４０】
図５に示すように、切断工具８０（８０ｂ）の回転刃８１（８１ｂ）により、弾性部材１４ａ（弾性材１４）は板材１２側に押し当てられ、板材１２に形成された切断溝１２ｃ（切込溝）内に引き込まれる。その詳細については、上述した実施例１の場合と略同様であるので省略するが、弾性部材１４ａの一部である引込部分等１４ｃ〜１４ｅが切断溝１２ｃに引き込まれて、回転刃８１（８１ｂ）の回転を阻害又は阻止することができる。
【００４１】
本実施例においては、弾性部材１４ａとして、ゴム素材や熱硬化性エラストマーなどの熱硬化性の弾性部材１４ａを使用している。摩擦係数の高いこのような素材を用いることにより、効果的に回転刃８１の回転を阻害等することができる。また、回転刃８１との摩擦熱により硬化する素材であれば、さらに回転刃８１との摩擦係数を高め、回転刃８１の回転をより効果的に阻害等することができる。なお、熱硬化性の弾性部材１４ａの代わりに、熱可塑性エラストマーを使用しても良い。この場合、上述の板材１２と同様、回転刃８１との摩擦熱により軟化して、回転刃８１に纏わりついたり、付着したりして、その回転を阻害等することができる。
【００４２】
本実施例において、中間構造部１０の各構成は上述のような効果を有するような厚さであればよく、使用する素材の性質に基づいて適宜設定することができる。また、弾性材１４の弾性部材１４ａは、網目や格子目や格子間隔等の空隙部分を有して配設される場合があるが、侵入口Ｅを作ろうとした際に回転刃８１が弾性部材１４ａの空隙部分のみを切断することのないようにすることは勿論である。また、複数の弾性部材１４ａにより、回転刃８１の回転を阻害等する構成とすることが望ましい。最初の数ｃｍは切断できても、切断工具８０を移動させて弾性部材１４ａを複数切断するうちに、引込部分等１４ｃ〜１４ｅが増えて回転を止めることができる。
【００４３】
なお、本実施例の防犯用パネル１，１Ａは、板材１２と弾性材１４とを有する中間構造部１０を備え、これらの部材により生じる複合的な力により切断工具の回転刃の動きを阻害又は阻止することができれば、上述した発明の実施の形態に限定されず、本発明の要旨を逸脱しない範囲で種々変更できることは勿論である。例えば、防犯パネル１，１Ａに示す以外に、中間構造部１０には板材１２と弾性材１４は複数設け、これらを、適宜空間部１３を設けつつ交互に配置してもよい。
【００４４】
また、防犯用パネル１，１Ａは、外に面する外壁部分としてだけでなく、建造物内の貴重品等を保管する部屋の壁部材として使用することもできる。つまり、外装材１１及び内装材１６は部屋の壁の表面部分を構成する壁材も含み、これらの間に中間構造部１０を配設させることによって、部屋内の保管物の盗難被害を防ぐことができる。
【実施例２】
【００４５】
＜防犯用パネルを用いたボックス体＞
図６は、上述の防犯用パネル１を使用したボックス体２０を例示するものであり、（ａ）は事務所などとして使用されるコンテナハウス３０の斜視図、（ｂ）は倉庫などとして使用されるコンテナボックス４０の斜視図である。なお、便宜上、図６（ａ）においては後側壁パネル及び左側壁パネルの図示を、図６（ｂ）においてはドア部分の図示を省略している。なお、実施例１の変形例である防犯用パネル１Ａ等を使用しても良いことは勿論である。
【００４６】
コンテナハウス３０は、図６（ａ）に示すように、前後側壁パネル３１、左右側壁パネル３３、天井壁パネル３５、床壁パネル（図示せず）で構成されている。前後側壁パネル３１、左右側壁パネル３３、天井壁パネル３５として、防犯用パネル１が使用されており、各パネル部材は、例えば、枠体２１に嵌め込むようにして、箱体（六面体など）となるように組まれている。なお、実施例１においては、弾性材１４の弾性部材１４ａは、押さえ板材１５に支持されていたが、本実施例においては、押さえ板材１５に代えて枠体２１に、上述のように厚さ方向に変位可能に支持されている。
【００４７】
前側壁パネル３１の中央には、出入り口であるドア３９が設置されている。本実施例においては、このドア３９は、防犯パネル１により構成されるとともに、その開閉を監視するためのセキュリティ機能（詳細は省略）を備えたものとなっている。なお、本実施例においては、コンテナハウス３０は、雨水などの浸水を防ぐための台座Ｂ上に着脱可能に設置されている。
【００４８】
コンテナボックス４０は、図６（ｂ）に示すように、前後側壁部４１、左右側壁部４３、天井壁部４５及び床壁部４７を有する箱体（六面体）となるように、図示しない組立部材により外装材１１が組まれている。後側壁部４１及び左右側壁部４３である外装材１１の内面の下側部分には、中間構造部１０が取り付けられている。このように、本実施例のコンテナボックス４０では、人の背丈等を考慮して、侵入口が作られる可能性の高い箇所にのみ中間構造部１０を取り付けられている。また、内装材１６は、保管する物に応じて、適宜配設する構成としている。
【００４９】
また、コンテナボックス４０は、図６（ｂ）に示すように、設置場所が不陸である場合に高さ調節可能な脚部材４７ｂや、図示しない土台に着脱可能に設置するための取付部材４７ｃ（例えば、アンカーボルトなど）が床壁部４７を構成する床部材４７ａに配設されている。なお、段差については、これを解消するスロープなどを使用することにより、保管物を容易に搬入することができる。
【００５０】
前側壁部４１には、保管物を出し入れするための扉として、図示しない自動開閉扉が取り付けられる。本実施例においては、半開口可能なスライド開閉機能（スライド部）及び全開口可能な片観音開き機能（展開部）を有するものを使用し、保管物の大きさに基づいて開口の大きさを適宜選択できるようになっている。また、この扉は、その構成に中間構造部１０を組み込んだものとなっており、さらに、扉の開閉を監視するためのセキュリティ機能（詳細は省略）を備えたものとなっている。なお、保管物を出し入れするための扉は上述のものに限らず、防犯性を有する構成となっていればよく、例えば、防犯用パネル１，１Ａにより構成される両観音開きの扉などであってもよい。
【００５１】
本実施例においては、コンテナボックス４０は、床面積が約１９０ｃｍ×約２９０ｃｍ、高さが約２００ｃｍであり、約１０ｍ３の大容量となるように作られているので、大物や背高物も収納することが可能である。また、前側壁部４１は、全開状態においてその幅が１８００ｍｍであり、大きい開口部により保管物の出し入れをスムーズに行うことができる。また、小さいものであれば、オートスライド開閉により半開させて使用することができる。
【００５２】
本実施例のボックス体２０によれば、防犯用パネル１，１Ａが少なくとも中間構造部１０と外装材１１とから構成されることにより、実施例１の防犯用パネル１，１Ａと同様の効果を有し、切断工具８０を使用した窃盗などの犯罪を防ぐことができる。また、中間構造部１０に金属部材などを使用していないため軽量であり、台座Ｂなどに着脱可能な構成となっているので、移動式ボックス体２０として容易に運搬、搬入出等することができる。よって、ボックス体２０を荷台に載せて作業現場などに運搬し、クレーンなどを用いて設置して、作業終了後に回収するなど、必要なときに必要な箇所に設置して、適宜使用することが可能である。
【実施例３】
【００５３】
＜防犯用パネルを用いた車両ボディ＞  図７は、実施例３の防犯用パネル１を車両ボディ６０に使用した貨物車両５０を例示するものであり、車両ボディ６０を有する貨物車両５０の斜視図である。  貨物車両５０の車両ボディ６０は、図７に示すように、前後側部６１、左右側部６３及び天井部６５を有し、全面に防犯用パネル１が使用されている。なお、実施例１の変形例である防犯用パネル１Ａ等を使用しても良いことは勿論である。
【００５４】
本実施例の車両ボディ６０では、外装材１１として熱反射ガルバニウム外装板が、内装材１６として防護ネット（図示せず）が使用されており。また、これらの間に中間構造部１０が設けられ、外部からの不正な侵入を防ぐように構成されている。また、上述のように、中間構造部１０には、断熱層である板材１２と、熱伝導率の低い空気による空間部１３が設けられているので、外気温や直射日光などによる庫内温度の変化を抑制することができる。
【００５５】
車両ボディ６０の後側部６１には、上述したコンテナボックス４０と同様の機能、すなわち、半開口可能なスライド部６７ａ及び全開口可能な展開部６７ｂを有する自動開閉扉６７が配設されている。また、開閉扉６７の内部には、上述した中間構造部１０が設けられている。なお、車両ボディ６０に配設する中間構造部１０については、人が侵入できる侵入口だけでなく、小さい開口部（盗難口）も作ることができないように弾性材１４の弾性部材１４ａを配置して、積載物を取り出すことができないようにすることが望ましい。具体的には、弾性部材１４ａを縞状に設ける場合などでは、弾性部材１４の間隔を適宜変更（小さく）するなどして、開口部を作る際に切断工具８０の回転刃８１が必ず弾性部材１４ａに当たるように構成する。
【００５６】
車両ボディ６０の後側部６１の左端部分には、図７に示すように、開閉扉６７の開閉権利を有する者（開閉権利者）であることを示す識別情報を入力する入力部６８と、識別情報に基づいて開閉権利者であると判別された際にスライド部６７ａを開閉する操作が可能となる開操作部６９ａ及び閉操作部６９ｂが設けられている。また、車両ボディ６０の庫内には、図示していないが、入力部６８から入力された情報に基づいて入力者が開閉権利者であるか否かを判定して開操作部６９ａや閉操作部６９ｂに操作許可信号を出力したり、開操作部６９ａや閉操作部６９ｂからの情報を処理したりするための情報処理部（情報処理装置）や、停電時対策としてのＵＰＳ（無停電電源装置）等が搭載されている。なお、開閉扉６７に関する管理機能やセキュリティ機能は、貨物車両の使用用途に合わせて、適宜構成することができる。
【００５７】
本実施例の車両ボディ６０によれば、実施例１の防犯用パネル１，１Ａや実施例２のボックス体２０と同様の効果を有し、車両ボディ６０内の積載物を安全に運搬することができる。また、中間構造部１０に金属部材などを使用していないため軽量であり、重量のある荷物でも積載して運搬することができ、燃料などのコストを抑えることができる。
【００５８】
なお、本発明は、板材１２と弾性材１４とを有する中間構造部１０を備え、これらの部材により複合的に生じる力（摩擦力又は／及び弾性力）により切断工具の回転刃の動きを阻害又は阻止することができれば、上述した発明の実施の形態に限定されず、本発明の要旨を逸脱しない範囲で種々変更できることは勿論である。
【産業上の利用可能性】
【００５９】
本発明の防犯用パネルは、上述のような保管庫や貨物車両だけでなく、保管物を収納したり積載して運搬したりする移動設備、建造物、車両などに利用することができる。盗難や侵入の被害にあわないように建造物内に設置する部屋の壁部材など、切断工具による切断を防ぐ必要がある箇所であれば、様々な分野において利用することができる。
【符号の説明】
【００６０】
１，１Ａ  防犯用パネル１０  中間構造部１１  外装材１２  板材
１２ｃ  切断溝
１３  空間部１４  弾性材１４ａ  弾性部材１５  押さえ板材１５ｂ  押さえ面１６  内装材２０  ボックス体３０  コンテナハウス４０  コンテナボックス５０  貨物車両６０  車両ボディ
【図１】
0006684106.tif 000002
【図２】
0006684106.tif 000003
【図３】
0006684106.tif 000004
【図４】
0006684106.tif 000005
【図５】
0006684106.tif 000006
【図６】
0006684106.tif 000007
【図７】
0006684106.tif 000008
【図８】
0006684106.tif 000009